(57)【要約】【課題】解像度の判別できない映像データを取得した場合でも、映像信号の解像度と表示部の解像度の対応関係を記録することなく、任意の解像度を有する映像信号をユーザの操作により表示することができる表示装置の提供を目的とする。【解決手段】解像度が判別されない映像データが入力された際、ＣＰＵ１２ａは、画面上に任意の解像度とピクセルクロックの値とを入力させる映像データ入力画面を表示する。使用者は、上記映像データ入力画面上で解像度とピクセルクロックの値を入力することにより、通常対応していない映像データを画面に表示することが可能となる。【選択図】図１
2008165037.tif 000002
【特許請求の範囲】
【請求項１】
取得した映像データの水平同期信号と垂直同期信号とに基づいて映像を画面に表示する表示装置において、
当該表示装置を制御するＣＰＵと、
上記ＣＰＵが所定の演算を行うためのプログラムやテーブルを記録する不揮発性メモリとを有し、
上記不揮発性メモリは、上記水平同期信号と上記垂直同期信号との対応関係を記録したテーブルと、
上記ＣＰＵが取得した映像データの水平同期信号と垂直同期信号とを検出するとともに、検出した上記水平同期信号と上記垂直同期信号との対応関係が、上記テーブルに記録されない場合に、取得した映像データの解像度とピクセルクロックの値の入力を受け付けるととともに、上記入力された解像度とピクセルクロックさらには取得した上記映像データの水平同期信号と垂直同期信号を映像を表示するためのパラメータとして、上記ＣＰＵが画面に映像を表示させる指示を出す解像度判定プログラムとを記録することを特徴とする表示装置。
【請求項２】
取得した映像データのパラメータに基づいて映像を画面に表示する表示装置において、  取得した映像データの同期信号を検出する同期信号検出手段と、
取得した映像データの解像度とピクセルクロックとの値の入力を受け付ける映像データ取得手段と、
上記同期信号検出手段によって検出された同期信号、並びに上記映像データ取得手段に入力された解像度とピクセルクロックとの値を映像を表示するためのパラメータとして、画面に映像を出力する映像表示手段とを有することを特徴とする表示装置。
【請求項３】
上記映像データ取得手段は、取得した映像データの同期信号である水平同期信号と垂直同期信号とが、予め登録された対応関係にない場合に、上記解像度と上記ピクセルクロックの値とを受け付けることを特徴とする請求項２に記載の表示装置。
【請求項４】
更に、上記同期信号の対応関係を記録した映像構成データ対応関係記録手段を有することを特徴とする請求項２または請求項３のいずれか一項に記載の表示装置。
【請求項５】
上記映像データ取得手段は、画面上に解像度とピクセルクロックとを入力させる映像データ入力画面を表示して、取得した映像データの解像度とピクセルクロックとを入力させることを特徴とする請求項４に記載の表示装置。
【請求項６】
当該表示装置は映像データを取得するために、送信する映像データの解像度の規定を有さないアナログＲＧＢケーブルと接続可能であって、上記アナログＲＧＢケーブルから入力される上記映像データを受け付けることを特徴とする請求項５に記載の表示装置。
【発明の詳細な説明】
【技術分野】
【０００１】
取得した映像データを基に映像を構成する表示装置において、特に取得した映像データの同期信号を基に映像を表示する表示装置に関する。
【背景技術】
【０００２】
従来、テレビジョン装置等の表示装置は、映像データ生成装置とコネクタを介して接続可能である。これにより、映像データ生成装置から入力された映像データは表示装置に出力され、画面上に取得した映像データに対応した映像を表示する。映像データ生成装置の一例としては、パーソナルコンピュータや家庭用ゲーム機器等を挙げることができる。
【０００３】
図５は、従来の表示装置の構成を表すブロック構成図である。表示装置１は、取得した映像データを基に映像を表示するためのものである。そのため、表示装置１は、取得した映像データよりＲＧＢの色信号を生成するビデオ信号制御回路２と、上記ビデオ信号制御回路２が生成した映像信号より映像を表示する映像表示部３とから構成されている。映像データ生成装置１００が生成した映像データは、ケーブル４を介してビデオ信号制御回路２に出力され、映像表示部３にて映像が表示される。
【０００４】
このとき、ビデオ信号制御回路２は、取得した映像データより、水平同期信号と垂直同期信号とを取得し、取得した同期信号が予め登録された同期信号に対応していれば映像表示部３へ映像信号を出力する。また、予め登録された同期信号の値は、所定の幅の範囲を有しており、その幅は映像表示部３またはビデオ信号制御回路２の性能により変化する。  
【０００５】
映像を表示するためのパラメータである解像度、ピクセルクロック、および同期信号の組み合わせは一定の範囲内において無数に存在する。そのため、ビデオ信号制御回路２が処理することができる解像度の範囲は理論上無数に存在する。しかしながら、解像度は基本的には通常の表示状態における映像表示部３の解像度に依存する。そのため、従来では、ビデオ信号制御回路２にて解像度を映像表示部の解像度に合わせるよう、２画素を１画素に見立てる等の調整をおこなっていた。ここで、ピクセルクロックは、色信号より各画素に表示させる際各画素を更新する周波数の値である。
【０００６】
上述したビデオ信号制御部と表示部との解像度を調整する方法として以下の方法が開示されている。つまり、取得した映像データの解像度の値が、表示部の解像度より低い場合に、映像データの解像度の値を低くして、解像度の低い表示部へ映像を表示できるようにする（例えば、特許文献１参照。）。
【０００７】
また、ビデオ信号制御部と表示部との解像度を調整する場合、使用者の操作性の簡素化を促す方法が開示されている。つまり、解像度の異なる映像信号を表示する際、解像度をディスプレイ側で切り替えることにより、使用者は直接的に解像度の調整を行うことが可能となり操作の簡素化を促す（例えば、特許文献２参照。）。
【０００８】
さらに、ビデオ信号制御部と表示部との解像度が合わない場合に、使用者に解像度が合わないことを知らせる方法が開示されている。つまり、取得した映像信号の解像度がディスプレイ側の解像度より低い場合に、ディスプレイ側にメッセージを表示する（例えば、特許文献３参照。）。
【特許文献１】特開２００６−７２３６３
【特許文献２】特開平１１−１５４２５
【特許文献３】特開２０００−３０５５２９
【発明の開示】
【発明が解決しようとする課題】
【０００９】
上述した特許文献１、２、３の発明は、次のような課題があった。つまり、表示させたい映像データの解像度が予め登録された解像度に対応していない場合では、映像を画面に表示することができない。さらに、表示させることが可能な映像データの解像度の範囲を広げ、取得した映像データの任意の解像度に対応させるためには、ビデオ信号制御回路の解像度、同期信号さらにはピクセルクロックとの対応関係を無数に規定するとともに、規定した対応関係を保持する必要がある。例えば、上述した解像度の関係を記録媒体に記録させている場合では、記録させるデータの数だけ記録媒体の容量が多量に必要になる。
【００１０】
本発明は、上記課題にかんがみてなされたもので、解像度の判別できない映像データを取得した場合でも、映像信号の解像度と表示部の解像度の対応関係を記録することなく、任意の解像度を有する映像信号をユーザの操作により表示することができる表示装置の提供を目的とする。
【課題を解決するための手段】
【００１１】
上記課題を解決するために、本発明の請求項２にかかる発明では、取得した映像データのパラメータに基づいて映像を画面に表示する表示装置において、取得した映像データの同期信号を検出する同期信号検出手段と、取得した上記映像データの解像度とピクセルクロックとの値の入力を受け付ける映像データ取得手段と、上記同期信号検出手段が検出した同期信号、並びに上記映像データ取得手段に入力された解像度とピクセルクロックとの値を映像を表示するためのパラメータとして、画面に映像を出力する映像表示手段とを有する構成としてある。
【００１２】
上記のように構成された発明では、同期信号検出手段にて取得した映像データの同期信号を検出するとともに、映像データ取得手段は、取得した映像データの解像度とピクセルクロックとを受け付ける。さらに、映像表示手段は、映像データ取得手段が受け付けた解像度とピクセルクロック、さらには同期信号検出手段が検出した映像データの同期信号とをパラメータとして、画面に映像を出力する。これにより、取得された映像データの解像度が判別されない場合でも、映像データ取得手段により解像度よびピクセルクロックを入力することにより、画面に映像を表示することが可能となる。そのため、画面に表示することができる解像度の対応関係を記録することなく、任意の解像度を有する映像信号を画面に表示することができる
【００１３】
また、映像データ取得手段が取得した映像データの解像度とピクセルクロックの値を受け付ける条件として、請求項３に記載の発明では、上記映像データ取得手段は、取得した映像データの同期信号である上記水平同期信号と垂直同期信号とが、予め登録された同期信号との対応関係にない場合に、上記解像度と上記ピクセルクロックの値とを受け付ける構成としてある。
【００１４】
上記のように構成された発明では、映像データ取得手段は取得した映像データの同期信号が、予め登録した水平同期信号と垂直同期信号の対応関係にない場合に、解像度とピクセルクロックの値の入力を受け付ける。このため、同期信号が対応していいない映像データにおいても、映像データの解像度を画面の解像度に対応させることが可能となる。
【００１５】
そして、同期信号の対応関係を保持する方法として、請求項４に記載の発明では、更に、上記同期信号との対応関係を記録した映像構成データ対応関係記録手段を有する構成としてある。
上記のように構成された発明では、映像構成データ対応関係記録手段にて同期信号が記録されるため、画面に対応していない映像データを素早く特定することができる。
【００１６】
さらに、映像データ取得手段が解像度とピクセルクロックの値を入力される手法として、請求項５に記載の発明では、上記映像データ取得手段は、画面上に解像度とピクセルクロックとを入力させる映像データ入力画面を表示して、取得した映像データの解像度とピクセルクロックとを入力させる構成としてある。
【００１７】
上記のように構成された発明では、解像度とピクセルクロックの値を入力させる際、画面に映像データ入力画面を表示する。これにより、使用者は画面を見ながら解像度とピクセルクロックの値を入力することができ、使い易さを向上することができる。
【００１８】
また、当該表示装置が映像を取得する方法の一例として、請求項６に記載の発明では、当該表示装置は映像データを取得するために、送信する映像データの解像度の規定を有さないアナログＲＧＢケーブルと接続可能であって、上記アナログＲＧＢケーブルから入力される上記映像データを受け付ける構成としてある。
【００１９】
上記のように構成された発明では、当該表示装置が取得する映像データは、アナログＲＧＢケーブルにて入力される。これにより、どのような解像度の映像データでも当該表示装置に出力することができるため、表示装置はどのような解像度を有する映像データにも対応することができる。なお、アナログＲＧＢケーブルの一例としては、Ｄ−ｓｕｂ１５ピンが挙げられる。
【００２０】
そして、上記した課題を解決するための具体的な構成として請求項１に記載の発明では、取得した映像データの水平同期信号と垂直同期信号とに基づいて映像を画面に表示する表示装置において、
当該表示装置を制御するＣＰＵと、上記ＣＰＵが所定の演算を行うためのプログラムやテーブルを記録する不揮発性メモリとを有し、上記不揮発性メモリは、上記水平同期信号と上記垂直同期信号との対応関係を記録したテーブルと、上記ＣＰＵが取得した映像データの水平同期信号と垂直同期信号とを検出するとともに、検出した上記水平同期信号と上記垂直同期信号との対応関係が、上記テーブルに記録されない場合に、取得した映像データの解像度とピクセルクロックの値の入力を受け付けるととともに、上記入力された解像度とピクセルクロックさらには取得した上記映像データの水平同期信号と垂直同期信号を映像を表示するためのパラメータとして、上記ＣＰＵが画面に映像を表示させる指示を出す解像度判定プログラムとを記録する構成としてある。
【発明の効果】
【００２１】
以上説明したように本発明によれば、解像度の判別できない映像データを取得した場合でも、映像信号の解像度と表示部の解像度の対応関係を記録することなく、任意の解像度を有する映像信号をユーザの操作により表示することができる。
また請求項３にかかる発明によれば、同期信号が対応していいない映像データにおいても、映像データの解像度を画面の解像度に対応させることが可能となる。
そして請求項４にかかる発明によれば、画面に対応していない映像データを素早く特定することができる。
さらに請求項５にかかる発明によれば、使用者は画面を見ながら解像度とピクセルクロックの値を入力することができ、使い易さを向上することができる。
また請求項６にかかる発明によれば、どのような解像度を有する映像データにも対応することができる。
さらに請求項１のような、より具体的な構成において、上述した請求項２〜請求項６の各発明と同様の作用を奏することはいうまでもない。
【発明を実施するための最良の形態】
【００２２】
本発明の表示装置の具体的な説明として、上記表示装置を使用する民生用の表示装置を基に説明する。しかしながら、本発明の表示装置は民生用の表示装置に限定されるものではない。以下、下記の順序に従って本発明の実施形態を説明する。
（１）実施の形態
（１−１）表示装置の構成
（１−２）解像度が特定されない映像の映像表示方法
（２）まとめ
【００２３】
（１）実施の形態
（１−１）表示装置の構成
以下、図１〜図４を参照して、この発明に係る表示装置を具体化した第１の実施の形態について説明する。表示装置は、取得した映像データを基に、画面に映像を表示するためのものである。また、本発明の実施の形態に係る表示装置は、映像データ生成装置と接続して、映像データ生成装置からの映像データを取得することが可能である。ここで、映像データ生成装置は、信号や記録媒体等から映像データを生成するものを言う。具体的には、パーソナルコンピュータや、家庭用ゲーム機器等が挙げられる。
【００２４】
図１は、表示装置のブロック構成図である。同図より表示装置１０は、制御部１２の制御の基、入力コネクタ１３より入力された映像データ生成装置１００からの映像データをビデオ信号制御回路１１にてディジタルの映像信号に変換し、さらに、所定の信号処理を行う。その後映像信号はモニタ１４に出力され映像を表示する。このとき、ＯＳＤ回路１５により所定の画像データを映像信号に重畳して表示することも可能である。
【００２５】
また、表示装置１０は、映像データ生成装置１００とアナログＲＧＢケーブル２００にて接続され、映像データ生成装置１００から出力されるＲＧＢの各色信号と同期信号とを表示装置１０に出力する。なお、実施の形態に係る表示装置１０は、画面を構成するモニタ１４を有する構成としている。しかしながら、表示装置１０の構成はこれに限定されず、モニタ１４を有さない構成であってもよい。
【００２６】
制御部１２は、所定の演算により当該表示装置１０を制御するためのものである。制御部１２は、演算中枢としてのＣＰＵ１２ａと、ＣＰＵ１２ａが所定の演算を行うためのプログラムやテーブルを記録する不揮発性メモリとしてのＲＯＭ１２ｂ、さらにはＣＰＵ１２ａが実行するプログラムを展開する領域や、プログラムによって実行される処理結果を格納する領域とを有するＲＡＭ１２ｃとを有する構成である。ＲＯＭ１２ｂは、モニタ１４がサポートする解像度と同期信号さらにはピクセルクロックとの関係が記載されたテーブル１２ｂ１と、取得した映像データの解像度が判別できない場合に、ＣＰＵ１２ａに所定の処理を実行させる解像度判定プログラム１２ｂ２とが記録されている。
【００２７】
ビデオ信号制御回路１１は、映像データ生成装置１００から取得した映像データを基にモニタ１４の表示特性に対応するよう映像データを処理する。また、制御部１２の指示に基づいて、調整した色信号に所定の信号処理を実行する。具体的には、ビデオ信号制御回路１１は、入力コネクタ１３を介して入力された映像データより同期信号の値を検出して、検出した同期信号の値に対応した解像度とピクセルクロックとの値にて映像を画面に表示できるよう処理を行う。
【００２８】
図２は、ＲＯＭ１２ｂが記録するテーブルを表す図である。同図より、テーブル１２ｂ１には、ビデオ信号制御回路１１が対応可能な、映像データの有効解像度、水平同期信号、垂直同期信号、さらにはピクセルクロックの対応関係が記録されている。そのため、取得した映像データの水平同期信号が３１．５（ｋＨｚ）、垂直同期信号が６０（Ｈｚ）である場合は、ＣＰＵ１２ａは取得した映像データの解像度を６４０×４８０とし、ピクセルクロックの値を２５．１７５（ＭＨｚ）として判断する。これにより、ＣＰＵ１２ａはビデオ信号制御回路１１に、取得した映像データを上記値でモニタ１４に表示するよう指示を出す。
【００２９】
これにより、ビデオ信号制御回路１１に入力された映像データは、アナログディジタル変換部１１ａにてディジタルの映像信号に変換される。そして、入力された映像信号を、モニタ１４の表示特性である、同期信号、解像度さらにはピクセルクロックに対応するようスケーラー処理を実行する。前述したように同期信号である水平同期信号が３１．５（ｋＨｚ）、垂直同期信号が６０（Ｈｚ）である場合は、コントローラ１１ｂは映像信号の解像度を６４０×４８０とし、ピクセルクロックの値を２５．１７５（ＭＨｚ）となるよう処理を行う。
【００３０】
アナログＲＧＢケーブル２００は、映像データ生成装置１００からの映像をビデオ信号制御回路１１に入力するためのものである。また、本発明の実施の形態にて使用されるアナログＲＧＢケーブルは、送信する画像データの解像度の規定がないものを使用する。これにより、一定の幅を有する解像度の映像信号を入力コネクタ１３より入力することが可能となる。アナログＲＧＢケーブル２００の具体的な一例としては、Ｄ−ｓｕｂ１５ｐｉｎ等を挙げることができる。
【００３１】
モニタ１４は、ビデオ信号制御回路１１から出力された映像信号を基に画面に映像を表示するためのものである。そのため、モニタ１４は、映像を表示する表示部１４ａと、表示部１４ａの各画素に電圧を印加する駆動回路１４ｂとを有する構成である。上記構成により、駆動回路１４ｂは、入力された映像信号よりモニタ１４の各画素を駆動するための駆動信号を生成する。その後、駆動回路１４ｂは生成した駆動信号を表示部１４ａの各画素に印加することにより、画素の光の透過率を変化させて映像を表示する。
【００３２】
（１−２）解像度が判別されない映像の映像表示方法
上述した構成により表示装置１０は、取得した映像データに基づいてモニタ１４に映像を表示する。このとき、本発明の表示装置１０は、取得した映像データの解像度が判別されない場合に、以下に説明する手法により映像をモニタ１４に表示することが可能である。解像度が判定されない原因としては、ＲＯＭ１４ｂに記録されるモニタ１４が表示可能な映像データの同期信号と取得した映像データの同期信号とが、一致しない場合が挙げられる。そこで、本発明の表示装置１０では、取得した映像データの同期信号が対応していない値であっても、ユーザの任意で画面に映像表示可能にできるような構成としている。  
【００３３】
図３は、ＲＯＭ１２ｂに記録される解像度判定プログラム１２ｂ２によりＣＰＵ１２ａが実行するフローチャートを表す図である。以下、図３のフローチャートに従って、解像度が判別されない映像の映像表示方法を説明する。ビデオ信号制御回路１１に映像データが入力されると、ＣＰＵ１２ａは取得された映像データの同期信号の値を検出する（ステップＳ１００）。次に、ＣＰＵ１２ａは、検出した同期信号が、ＲＯＭ１２ｂに記録されたテーブルに対応しているかを判断する（ステップＳ１１０）。検出された同期信号がテーブル１２ｂ１に記載されていれば、ＣＰＵ１２ａは、テーブル１２ｂ１を参照して、ビデオ信号制御回路１１に検出された同期信号に対応する解像度とピクセルクロックの値を基に、映像信号を調整するようビデオ信号制御回路１１に指示を出す（ステップＳ１５０）。
【００３４】
検出された同期信号がテーブル１２ｂ１に記載されたものでない場合は、ＣＰＵ１２ａは、ＯＳＤ回路１５に映像データ入力画面を表示するよう指示を出す（ステップＳ１２０）。映像データ入力画面は、使用者に取得した映像データの解像度とピクセルクロックとを入力させるためのものである。そのため、画面上に映像データ入力画面が表示されると、使用者はリモコン装置等を使用して、解像度とピクセルクロックの値を入力する。
【００３５】
図４は、一例としての画面に表示される映像データ入力画面を表す図である。同図より、映像データ入力画面は、画面上方に、取得した映像の解像度が対応したものでないことを表す「not supported format」の文字列を表示する。また、画面中ほどに解像度を現す「resolution」とピクセルクロックを表す「Pixel Clock 」の文字列が表示される。使用者は、画面上に映像データ入力画面が表示されると、取得された映像データの解像度とピクセルクロックの値を上記各文字列の空欄に入力する。これにより取得された映像データの解像度とピクセルクロックの値をユーザの任意で決定する。
【００３６】
画面上の映像データ入力画面にて、解像度とピクセルクロックとが入力されると（ステップＳ１３０）、ＣＰＵ１２ａは入力された解像度とピクセルクロックの値に基づいてモニタ１４に出力する映像信号の解像度とピクセルクロックの値を決定する（ステップＳ１４０）。さらに、決定した解像度とピクセルクロックの値に基づいて、映像信号を生成して映像を表示するようビデオ信号制御回路１１に指示を出す（ステップＳ１５０）。これにより、ビデオ信号制御回路１１は、決定された映像を表示するためのパラメータである解像度、同期信号、およびピクセルクロックの値に基づいて映像信号を生成し、生成した映像信号をモニタ１４に出力する。
【００３７】
また、このとき、ビデオ信号制御回路１１は生成した映像信号をモニタ１４の解像度に対応するよう修整を行うものであってもよい。これにより、モニタ１４の画面には使用者の任意で入力された解像度とピクセルクロックの値に基づいた映像が表示させることとなる。
【００３８】
（２）まとめ
以上説明したように、解像度が判別されない映像データが入力された際、ＣＰＵ１２ａは、画面上に任意の解像度とピクセルクロックの値とを入力させる映像データ入力画面を表示する。使用者は、上記映像データ入力画面上で解像度とピクセルクロックの値を入力することにより、通常対応していない映像データを画面に表示することが可能となる。このとき、解像度とピクセルクロックの値とはユーザの任意の入力により設定されるため、映像信号の解像度と表示部の解像度の対応関係を記録する必要がない。そのため、任意の解像度を有する映像信号を記録容量を多量に使用することなく表示することができる。    
【００３９】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４０】
【図１】表示装置のブロック構成図である。
【図２】ＲＯＭが記録するテーブルを表す図である。
【図３】ＲＯＭに記録される解像度判定プログラムによりＣＰＵが実行するフローチャートを表す図である。
【図４】一例としての画面に表示される映像データ入力画面を表す図である。
【図５】従来の表示装置の構成を表すブロック構成図である。
【符号の説明】
【００４１】
１０…表示装置、１１…ビデオ信号制御回路、１１ａ…アナログディジタル変換部、１１ｂ…コントローラ、１２…制御部、１２ａ…ＣＰＵ、１２ｂ１…テーブル、１３…入力コネクタ、１４…モニタ、１４ａ…表示部、１４ｂ…駆動回路、１５…ＯＳＤ回路、１００…映像データ生成装置、２００…アナログＲＧＢケーブル
【図１】
2008165037.tif 000003
【図２】
2008165037.tif 000004
【図３】
2008165037.tif 000005
【図４】
2008165037.tif 000006
【図５】
2008165037.tif 000007